(57)【要約】      （修正有）【課題】現金の移動時における人為的なミスや改ざんを防止すると共に、現金の精査時の作業時間を短縮することができる現金管理システムを提供する。【解決手段】現金処理機と、現金自動預払機と、現金の移動に伴う回金情報を記録する係員カードとを備えた現金管理システムであって、現金処理機は履歴情報格納手段と、入力受付手段と、係員カード回金情報書込手段と、送信手段と、係員カード回金情報出金手段と、回金情報および現金出入情報を履歴情報格納手段に格納する手段と、現金自動預払機からの受信手段と、回金情報を履歴情報格納手段に格納する手段とを備え、現金自動預払機は現金処理機からの回金情報受信手段と、受信した回金情報保存手段と、回金情報読取手段と、回金情報照合手段と、照合結果が一致したときに現金の入金許可手段と、現金の入金が終了したときに現金処理機へ読取った回金情報および現金出入情報を送信する手段とを備える。【選択図】図９
2008077339.tif 000002
【特許請求の範囲】
【請求項１】
営業店に設置された現金処理機と、該現金処理機と接続する自動取引装置と、現金の移動に伴う回金情報を記録する係員カードとを備えた現金管理システムであって、
前記現金処理機は、
現金の移動の履歴を履歴情報として格納する履歴情報格納手段と、
前記自動取引装置への現金の補充時に、その補充指示の入力を受付ける手段と、
該補充指示を、前記係員カードに回金情報として書込む手段と、
該係員カードに書込んだ回金情報を、前記自動取引装置へ送信する手段と、
前記係員カードに書込んだ回金情報の現金を出金する手段と、
該現金の出金が終了したときに、前記書込んだ回金情報および現金出入情報を、履歴情報として前記履歴情報格納手段に格納する手段と、
前記自動取引装置からの回金情報および現金出入情報を受信する手段と、
該受信した回金情報および現金出入情報を、履歴情報として前記履歴情報格納手段に格納する手段と、を備え、
前記自動取引装置は、
前記現金処理機からの回金情報を受信する手段と、
該受信した回金情報を、保存する手段と、
前記係員カードから、前記回金情報を読取る手段と、
該読取った回金情報と、前記保存した回金情報とを照合する手段と、
該照合結果が一致したときに、現金の入金を許可する手段と、
前記現金の入金が終了したときに、前記現金処理機へ前記読取った回金情報および現金出入情報を送信する手段と、を備えることを特徴とする現金管理システム。
【請求項２】
請求項１において、
前記現金処理機に、承認端末を接続し、
該承認端末は、
前記係員カードから、前記回金情報を読取る手段と、
該読取った回金情報に対する承認の入力を受付ける手段と、
該承認の入力を受付けたときに、前記係員カードの回金情報に承認済みの旨を書込む手段と、
前記現金処理機へ、前記承認済みの旨を書込んだ回金情報を送信する手段と、を備え、
前記現金処理機は、
前記承認端末からの前記承認済みの旨を書込んだ回金情報を受信する手段と、
該受信した承認済みの旨を書込んだ回金情報を履歴情報として、前記履歴情報格納手段に格納する手段と、を備えることを特徴とする現金管理システム。
【請求項３】
営業店に設置された現金処理機と、該現金処理機と接続する自動取引装置と、現金の移動に伴う回金情報を記録する係員カードとを備えた現金管理システムであって、
前記自動取引装置は、
現金の回収時に、その回収指示の入力を受付ける手段と、
該回収指示を、前記係員カードに回金情報として書込む手段と、
前記係員カードに書込んだ回金情報の現金を出金する手段と、
前記現金処理機へ、前記書込んだ回金情報および現金出入情報を送信する手段と、を備え、
前記現金処理機は、
現金の移動の履歴を履歴情報として格納する履歴情報格納手段と、
前記自動取引装置からの回金情報および現金出入情報を受信する手段と、
該受信した回金情報および現金出入情報を、履歴情報として前記履歴情報格納手段に格納する手段と、
前記係員カードから、前記回金情報を読取る手段と、
該読取った回金情報と、前記格納した回金情報とを照合する手段と、
該照合結果が一致したときに、現金の入金を許可する手段と、
前記現金の入金が終了したときに、前記読取った回金情報および現金出入情報を、履歴情報として前記履歴情報格納手段に格納する手段と、を備えることを特徴とする現金管理システム。
【請求項４】
営業店に設置された現金処理機と、該現金処理機と接続する承認端末と、現金を保管する金庫と、現金の移動に伴う回金情報を記録する係員カードとを備えた現金管理システムであって、
前記承認端末は、
前記金庫からの現金の出庫時に、その出庫指示の入力を受付ける手段と、
該出庫指示を、前記係員カードに回金情報として書込む手段と、
該書込んだ回金情報に対する承認の入力を受付ける手段と、
該承認の入力を受付けたときに、前記係員カードに承認済みの旨を書込む手段と、
前記現金処理機へ前記承認済みの旨を書込んだ回金情報および現金出入情報を送信する手段と、を備え、
前記現金処理機は、
現金の移動の履歴を履歴情報として格納する履歴情報格納手段と、
前記承認端末からの前記承認済みの旨を書込んだ回金情報および現金出入情報を受信する手段と、
該受信した承認の旨を書込んだ回金情報および現金出入情報を、履歴情報として前記履歴情報格納手段に格納する手段と、
前記係員カードから、前記回金情報を読取る手段と、
該読取った回金情報と、前記格納した回金情報とを照合する手段と、
該照合結果が一致したときに、現金の出金を許可する手段と、
前記現金の出金が終了したときに、前記読取った回金情報および現金出入情報を、履歴情報として前記履歴情報格納手段に格納する手段と、を備えることを特徴とする現金管理システム。
【請求項５】
営業店に設置された現金処理機と、該現金処理機と接続する承認端末と、現金を保管する金庫と、現金の移動に伴う回金情報を記録する係員カードとを備えた現金管理システムであって、
前記現金処理機は、
現金の移動の履歴を履歴情報として格納する履歴情報格納手段と、
前記金庫への現金の入庫時に、その入庫指示の入力を受付ける手段と、
該入庫指示を、前記係員カードに回金情報として書込む手段と、
該係員カードに書込んだ回金情報を、前記承認端末へ送信する手段と、
前記係員カードに書込んだ回金情報の現金を出金する手段と、
該現金の出金が終了したときに、前記書込んだ回金情報および現金出入情報を、履歴情報として前記履歴情報格納手段に格納する手段と、
前記承認端末からの回金情報および現金出入情報を受信する手段と、
該受信した回金情報および現金出入情報を、履歴情報として前記履歴情報格納手段に格納する手段と、を備え、
前記承認端末は、
前記現金処理機からの回金情報を受信する手段と、
該受信した回金情報を、保存する手段と、
前記係員カードから、前記回金情報を読取る手段と、
該読取った回金情報と、前記保存した回金情報とを照合する手段と、
該照合結果が一致したときに、現金の入庫を許可する手段と、
前記現金の入庫が終了したときに、前記現金処理機へ、前記読取った回金情報および現金出入情報を送信する手段と、を備えることを特徴とする現金管理システム。
【請求項６】
営業店に設置された現金処理機と、該現金処理機と接続する承認端末と、前記営業店に設置された自動取引装置と、現金の移動に伴う回金情報を記録する係員カードとを備えた現金管理システムであって、
前記現金処理機は、
現金の移動の履歴を履歴情報として格納する履歴情報格納手段と、
前記自動取引装置への現金の補充時に、その補充指示の入力を受付ける手段と、
該補充指示を、前記係員カードに回金情報として書込む手段と、
該係員カードに書込んだ回金情報の現金を出金する手段と、
該現金の出金が終了したときに、前記書込んだ回金情報および現金出入情報を、履歴情報として前記履歴情報格納手段に格納する手段と、
前記承認端末からの承認済みの旨を書込んだ回金情報を受信する手段と、
該受信した承認の旨を書込んだ回金情報を、履歴情報として前記履歴情報格納手段に格納する手段と、
前記係員カードから、端末情報が書込まれた回金情報を読取る手段と、
前記係員カードの回金情報に、補充承認の旨の端末情報を書込む手段と、
該補充承認の旨の端末情報が書込まれた回金情報を、履歴情報として前記履歴情報格納手段に格納する手段と、を備え、
前記承認端末は、
前記係員カードから、前記回金情報を読取る手段と、
該読取った回金情報に対する承認の入力を受付ける手段と、
該承認の入力を受付けたときに、前記係員カードの回金情報に承認済みの旨を書込む手段と、
前記現金処理機へ、前記承認済みの旨を書込んだ回金情報を送信する手段と、を備え、
前記自動取引装置は、
前記係員カードから、前記承認済みの旨を書込んだ回金情報を読取る手段と、
該読取った承認済みの旨を書込んだ回金情報を、検査する手段と、
該検査結果が合格のときに、現金の入金を許可する手段と、
前記現金の入金が終了したときに、前記係員カードの回金情報に端末情報を書込む手段手段と、を備えることを特徴とする現金管理システム。
【請求項７】
営業店に設置された現金処理機と、前記営業店に設置された自動取引装置と、現金の移動に伴う回金情報を記録する係員カードとを備えた現金管理システムであって、
前記自動取引装置は、
現金の回収時に、その回収指示の入力を受付ける手段と、
該回収指示を、前記係員カードに回金情報として書込む手段と、
前記係員カードに書込んだ回金情報の現金を出金する手段と、
該現金の出金が終了したときに、前記係員カードの回金情報に端末情報を書込む手段と、を備え、
前記現金処理機は、
前記係員カードから、端末情報が書込まれた回金情報を読取る手段と、
該読取った端末情報が書込まれた回金情報を、検査する手段と、
該検査結果が合格のときに、現金の入金を許可する手段と、
該現金の入金が終了したときに、前記係員カードの回金情報に回収承認の旨の端末情報を書込む手段と、
該回収承認の旨の端末情報が書込まれた回金情報を、履歴情報として前記履歴情報格納手段に格納する手段と、を備えることを特徴とする現金管理システム。
【発明の詳細な説明】
【技術分野】
【０００１】
本発明は、金融機関の営業店に設置された現金処理機を用いて自動取引装置等への現金の補充や回収を行うときの現金管理システムに関する。
【背景技術】
【０００２】
従来の現金管理システムは、営業店に設置された現金処理機と、営業店の応対窓口に設置された窓口端末とを備え、現金処理機から現金を出金する場合に、窓口の係員は顧客から伝票を受取り、窓口端末のキーボードにより伝票の記入内容を入力し、顧客の口座番号や取引の種類、取引金額等の伝票情報をＩＣタグに記録し、ＩＣタグと伝票とを現金処理機へ持参し、現金処理機にＩＣタグの伝票情報を読取らせ、現金処理機は読取った伝票情報の取引の種類に応じて、取引金額の入出金処理を行っている（例えば、特許文献１参照。）。
【特許文献１】特開２００６−４２０２号公報（第６頁段落００２８−第７頁段落００３３、第２図）
【発明の開示】
【発明が解決しようとする課題】
【０００３】
しかしながら、上述した従来の技術においては、係員が窓口端末から入力した伝票情報をＩＣタグに記録し、現金処理機はＩＣタグから読取った取引の種類に応じて取引金額の入出金処理を行っているため、電子的に管理されているのは伝票に記入された取引金額と取引の種類のみで、現金は人が持ち運ぶことになる。
また、現金処理機への入金または出金の金額は係員の入力により確定し、伝票に記入された金額と入力された金額との一致の確認は行われておらず、現金の移動時に過誤による人為的なミスや改ざんが生じやすいという問題がある。
【０００４】
また、営業店における現金の精査時に、不整合が発生すると、各自動取引装置等における入出金額を集計し、人により移動した現金の移動経路を調査するためには多大な時間を要するという問題がある。
本発明は、上記の問題点を解決するためになされたもので、現金の移動時における過誤による人為的なミスや改ざんを防止すると共に、現金の精査時の作業時間を短縮する手段を提供することを目的とする。
【課題を解決するための手段】
【０００５】
本発明は、上記課題を解決するために、営業店に設置された現金処理機と、該現金処理機と接続する自動取引装置と、現金の移動に伴う回金情報を記録する係員カードとを備えた現金管理システムであって、前記現金処理機は、現金の移動の履歴を履歴情報として格納する履歴情報格納手段と、前記自動取引装置への現金の補充時に、その補充指示の入力を受付ける手段と、該補充指示を、前記係員カードに回金情報として書込む手段と、該係員カードに書込んだ回金情報を、前記自動取引装置へ送信する手段と、前記係員カードに書込んだ回金情報の現金を出金する手段と、該現金の出金が終了したときに、前記書込んだ回金情報および現金出入情報を、履歴情報として前記履歴情報格納手段に格納する手段と、前記自動取引装置からの回金情報および現金出入情報を受信する手段と、該受信した回金情報および現金出入情報を、履歴情報として前記履歴情報格納手段に格納する手段と、を備え、前記自動取引装置は、前記現金処理機からの回金情報を受信する手段と、該受信した回金情報を、保存する手段と、前記係員カードから、前記回金情報を読取る手段と、該読取った回金情報と、前記保存した回金情報とを照合する手段と、該照合結果が一致したときに、現金の入金を許可する手段と、前記現金の入金が終了したときに、前記現金処理機へ前記読取った回金情報および現金出入情報を送信する手段と、を備えることを特徴とする。
【発明の効果】
【０００６】
これにより、本発明は、現金の移動時における過誤による人為的なミスや改ざんを困難にしてその発生を防止することができると共に、現金処理機により現金出入情報と回金情報とからなる履歴情報を一元管理することが可能になり、現金の精査時に現金の移動履歴を容易に調査することができ、精査時の作業時間を短縮することができるという効果が得られる。
【発明を実施するための最良の形態】
【０００７】
以下に、図面を参照して本発明による現金管理システムの実施例について説明する。
【実施例１】
【０００８】
図１は実施例１の現金管理システムを示すブロック図、図２は実施例１の係員カードを示す説明図、図３は実施例１の現金処理機を示すブロック図、図４は実施例１の現金自動預払機を示すブロック図、図５は実施例１の窓口端末を示すブロック図、図６は実施例１の役席端末を示すブロック図、図７は実施例１の金庫席端末を示すブロック図である。
図１において、１は銀行等の金融機関や郵政公社等（金融機関等という。）の支店や郵便局等の営業店に設置されている現金処理機であり、自動取引装置としての現金自動預払機２および自動取引装置としての窓口端末３へ補充する現金（紙幣と硬貨を総称する場合に現金という。）の出金や現金自動預払機２および窓口端末３から回収された現金の入金等を行うために使用される。
【０００９】
現金自動預払機２は、営業店のＡＴＭコーナ等に設置され、顧客との現金の入金取引や出金取引、振込取引等の取引を自動で行う。
窓口端末３は、営業店の応対窓口に設置され、窓口の担当者が顧客との伝票等の帳票を用いた現金の取引を行うために使用する。
４は承認端末としての役席端末であり、営業店の管理責任者（役席者という。）が現金の移動時の承認等を行うために使用する。
【００１０】
５は承認端末としての金庫席端末であり、営業店の現金を保管する金庫６の近傍に設置され、営業店の役席者が、金庫６からの現金の出庫および金庫６への現金の入庫に対する承認等を行うために使用する。
７はＬＡＮ（Ｌｏｃａｌ  Ａｒｅａ  Ｎｅｔｗｏｒｋ）等の店内ネットワークであり、現金処理機１、現金自動預払機２、窓口端末３、役席端末４、金庫席端末５の間を相互にデータ通信可能に接続する。
【００１１】
８は係員カードであり、図２に示すように、記録部９ａを有するＩＣチップ９が搭載された接触型のＩＣカードで形成されており、その記録部９ａには、現金の移動に伴う回金情報を記録する回金情報記録領域１０が確保されている。
本実施例の回金情報記録領域１０には、現金を移動させるための指示入力の日時である移動日時、移動させる現金の出金場所、その出金金額、出金した現金の移動先、移動先に移動させる現金の移動金額、および現金の移動に対する承認情報等の格納エリアが設定されている。
【００１２】
図３において、１１は現金処理機１の制御部であり、現金処理機１の各部を制御して現金の入金処理や出金処理等を実行すると共に、店内ネットワーク７と接続してデータ通信等も制御する。
１２は現金処理機１の記憶部であり、制御部１１が実行するプログラムやそれに用いる各種のデータおよび制御部１１による処理結果等が格納される。
【００１３】
また、記憶部１２には現金の移動の履歴を履歴情報として格納する履歴情報格納エリア１３が確保されている。
１４は表示部であり、ＣＲＴやＬＣＤ等の表示画面を備えており、表示画面に営業店の係員が行う業務の業務選択画面やその入力画面等を表示する。
１５は入力部であり、キーボードやマウス等を備えており、係員からの入出金時の指示入力や入出金金額等の入力を受付ける。
【００１４】
１６はカード読取書込部であり、挿入された係員カード８のＩＣチップ９の記録部９ａの回金情報記録領域１０に記録されている回金情報を読み書きする機能を有している。
１７は紙幣取扱部であり、現金処理機１へ投入された紙幣を受入れ、これを鑑別および計数して金種別に収納すると共に収納した紙幣を繰出す機能を有する他、紙幣を一定枚数に束ねて紙帯等で施封して小束として収納すると共に施封された小束紙幣を払出す機能を有している。
【００１５】
１８は硬貨取扱部であり、現金処理機１へ投入された硬貨を受入れ、これを鑑別および計数して金種別に収納すると共に収納した硬貨を繰出す機能を有する他、硬貨を一定枚数に束ねて棒金として収納すると共に収納された棒金を払出す機能を有している。
図４において、２１は現金自動預払機２の制御部であり、店内ネットワーク７を介して現金処理機１と接続しており、現金自動預払機２内の各部を制御して顧客との取引処理等を実行すると共にデータ通信等も制御する。
【００１６】
２２は現金自動預払機２の記憶部であり、制御部２１が実行するプログラムやそれに用いる各種のデータおよび制御部２１による処理結果等が格納される。
２３は顧客操作部であり、現金自動預払機２の前面側に設置され、ＣＲＴやＬＣＤ等の表示画面とタッチパネル等の位置信号検出手段との組合せで構成されており、表示画面に取引選択画面や各種の入力画面等を表示する他、位置信号検出手段により顧客からの入力を受付ける。
【００１７】
２４はカード取扱部であり、挿入された顧客のキャッシュカード等の取引カードの磁気ストライプに記録されているカード情報を読み書きする機能を有すると共に明細票等に取引内容等を印刷する印刷する機能等を有している。
２５は通帳取扱部であり、挿入された顧客の通帳の磁気ストライプに記録されている通帳情報を読み書きする機能を有すると共に顧客の通帳に記帳する機能を有している。
【００１８】
２６は紙幣入出金部であり、現金自動預払機２へ投入された紙幣を受入れ、これを鑑別および計数して収納し、顧客に支払う紙幣を計数して顧客に引渡す機能を有している。
２７は硬貨入出金部であり、現金自動預払機２へ投入された硬貨を受入れ、これを鑑別および計数して収納し、顧客に支払う硬貨を計数して顧客に引渡す機能を有している。
２８は係員操作部であり、現金自動預払機２の背面側に設けられ、ＬＣＤ等の表示画面とタッチパネル等の位置信号検出手段との組合せで構成されており、表示画面に係員が行う業務の選択を行う画面等を表示すると共に、位置信号検出手段により係員からの入力を受付ける。
【００１９】
２９は係員操作部２８に設けられたカード読取書込部であり、上記現金処理機１のカード読取書込部１６と同様の機能を有している。
図５において、３１は窓口端末３の制御部であり、店内ネットワーク７を介して現金処理機１と接続しており、窓口端末３内の各部を制御して顧客との取引処理等を実行すると共にデータ通信等も制御する。
【００２０】
２２は窓口端末３の記憶部であり、制御部３１が実行するプログラムやそれに用いる各種のデータおよび制御部３１による処理結果等が格納される。
３３は表示部であり、ＣＲＴやＬＣＤ等の表示画面を備えており、表示画面に窓口の担当者が行う業務の業務選択画面やその入力画面等を表示する。
３４は入力部であり、キーボードやマウス等を備えており、窓口の担当者からの入出金時の指示入力や入出金金額等の入力を受付ける。
【００２１】
３５は通帳取扱部であり、上記現金自動預払機２の通帳取扱部２５と同様の機能を有している。
３６は紙幣入出金部であり、上記現金自動預払機２の紙幣入出金部２６と同様の機能を有している。
３７は硬貨入出金部であり、上記現金自動預払機２の硬貨入出金部２７と同様の機能を有している。
【００２２】
３８は窓口端末３のカード読取書込部であり、上記現金処理機１のカード読取書込部１６と同様の機能を有している。
図６において、４１は役席端末４の制御部であり、役席端末４の各部を制御して現金の移動に伴う承認処理等を実行すると共に、店内ネットワーク７と接続してデータ通信等も制御する。
【００２３】
４２は役席端末４の記憶部であり、制御部４１が実行するプログラムやそれに用いる各種のデータおよび制御部４１による処理結果等が格納される。
４３は表示部であり、ＣＲＴやＬＣＤ等の表示画面を備えており、表示画面に役席者が行う業務の業務選択画面やその入力画面等を表示する。
４４は入力部であり、キーボードやマウス等を備えており、役席者からの入出金時の承認入力や入出金金額等の入力を受付ける。
【００２４】
４５はカード読取書込部であり、上記現金処理機１のカード読取書込部１６と同様の機能を有している。
図７において、５１は金庫席端末５の制御部であり、金庫席端末５の各部を制御して金庫６に対する現金の入出庫に伴う承認処理等を実行すると共に、店内ネットワーク７と接続してデータ通信等も制御する。
【００２５】
５２は金庫席端末５の記憶部であり、制御部５１が実行するプログラムやそれに用いる各種のデータおよび制御部５１による処理結果等が格納される。
５３は表示部であり、ＣＲＴやＬＣＤ等の表示画面を備えており、表示画面に役席者が行う業務の金庫６に関する業務選択画面やその入力画面等を表示する。
４４は入力部であり、キーボードやマウス等を備えており、役席者からの入出庫時の承認入力や入出金金額等の入力を受付ける。
【００２６】
５５はカード読取書込部であり、上記現金処理機１のカード読取書込部１６と同様の機能を有している。
本実施例の現金処理機１の記憶部１２には、予め通常の現金処理機１の出金処理や入金処理、小束施封処理等を行う業務処理実行プログラムに、現金自動預払機２や窓口端末３、役席端末４、金庫席端末５と店内ネットワーク７を介して通信し、記憶部１２の履歴情報格納エリア１３に履歴情報を格納する機能を有するアプリケーションプログラム、係員カード８の回金情報を読取り、これを照合して現金処理機１に対する入出金の許可を与える機能を有するアプリケーションプログラム等が追加された業務処理実行プログラムが格納されており、制御部１１が実行する業務処理実行プログラムのステップにより本実施例の現金処理機１のハードウェアとしての各機能手段が形成される。
【００２７】
本実施例の現金自動預払機２の記憶部２２には、予め通常の顧客との間での各種の取引や現金の補充や回収を行うための取引処理実行プログラムに、係員カード８の回金情報を読取り、これを照合して現金自動預払機２に対する入出金の許可を与える機能を有するアプリケーションプログラム等が追加された取引処理実行プログラムが格納されており、制御部２１が実行する取引処理実行プログラムのステップにより本実施例の現金自動預払機２のハードウェアとしての各機能手段が形成される。
【００２８】
本実施例の窓口端末３の記憶部３２には、予め通常の顧客との間で帳票を用いた各種の取引や現金の補充や回収を行うための窓口端末処理実行プログラムに、係員カード８の回金情報を読取り、これを照合して窓口端末３に対する入出金の許可を与える機能を有するアプリケーションプログラム等が追加された窓口端末処理実行プログラムが格納されており、制御部３１が実行する窓口端末処理実行プログラムのステップにより本実施例の窓口端末３のハードウェアとしての各機能手段が形成される。
【００２９】
本実施例の役席端末４の記憶部４２には、係員カード８の回金情報を読取り、これに承認を与える機能を有するアプリケーションプログラム等からなる役席端末業務実行プログラムが格納されており、制御部４１が実行する役席端末業務実行プログラムのステップにより本実施例の役席端末４のハードウェアとしての各機能手段が形成される。
本実施例の金庫席端末５の記憶部５２には、金庫６に対する現金の入出庫に承認を与える機能を有するアプリケーションプログラム等からなる金庫席端末業務実行プログラムが格納されており、制御部５１が実行する金庫席端末業務実行プログラムのステップにより本実施例の金庫席端末５のハードウェアとしての各機能手段が形成される。
【００３０】
以下に、図８に示す流れ図を用い、金庫６から現金を出庫して現金処理機１へ入金する現金出庫処理の作動について説明する。
なお、ステップ名は金庫席端末５の場合をＳで、現金処理機１の場合をＳＡで表す。
また、図に破線で示した矢印は、係員の移動を示す（他の流れ図において、同じ。）。
Ｓ１、役席者は、金庫６からの現金の出庫を担当する係員の係員カード８を金庫席端末５のカード読取書込部５５に挿入する。
【００３１】
これを検知した金庫席端末５の制御部５１は、金庫席端末業務実行プログラムにより表示部５３に金庫６に関する業務の業務選択画面を表示する。
役席者は、表示された業務選択画面から入力部５４により出庫処理の選択操作を行う。
Ｓ２、現金出庫処理の選択操作を認識した制御部５１は、表示部５３に出庫指示の入力画面を表示する。
【００３２】
出庫指示の入力画面には、出金場所、出金金額、移動先、移動金額、および現金の出庫に対する承認情報等の入力欄が表示される。
役席者は、入力部５４により出金場所として金庫６、出金金額、移動先として現金処理機１、移動金額として全額を入力し、承認情報の入力欄に電子署名等により承認済みの旨の入力を行う。
【００３３】
Ｓ３、出庫指示の入力を受付けた制御部５１は、その時計機能により現在日時を認識し、これを移動日時とし、受付けた出金場所、出金金額、移動先、移動金額、および承認済みの旨の承認情報により回金情報を生成し、これをカード読取書込部５５によりそこに挿入されている係員カード８の記録部９ａの回金情報記録領域１０の各エリアに書込む。
Ｓ４、役席者は、出金金額に入力した現金を金庫６から出庫し、その金額を確認して係員に手渡すと共に、金庫席端末５の入力部５４により出庫処理の完了操作を行う。
【００３４】
Ｓ５、出庫処理の完了操作を認識した制御部５１は、その時計機能により認識した入出金日時と、金庫６から現金を出庫した旨とを記した現金出入情報、および係員カード８に書込んだのと同じ回金情報、つまり承認済みの旨を書込んだ回金情報を、店内ネットワーク７を介して現金処理機１（ステップＳＡ１）送信し、ステップＳ１へ戻って待機する。
ＳＡ１、金庫席端末５からの承認済みの旨を書込んだ回金情報および現金出入情報を受信した現金処理機１の制御部１１は、業務処理実行プログラムにより、受信した承認済みの旨を書込んだ回金情報および現金出入情報を、履歴情報として記憶部１２の履歴情報格納エリア１３に格納する。
【００３５】
ＳＡ２、一方、係員は係員カード８と手渡された現金を持参して現金処理機１へ移動し、現金処理機１のカード読取書込部１６に持参した係員カード８を挿入する。
これを検知した現金処理機１の制御部１１は、カード読取書込部１６により挿入された係員カード８の記録部９ａの回金情報記録領域１０から承認済みの旨を書込んだ回金情報を読取ると共に、表示部１４に現金処理機１の業務選択画面を表示する。
【００３６】
係員は、表示された業務選択画面から入力部１５により入金処理の選択操作を行う。
ＳＡ３、入金処理の選択操作を認識した制御部１１は、係員カード８から読取った回金情報の移動日時を基に、記憶部１２の履歴情報格納エリア１３を検索して当該回金情報を抽出し、抽出した当該回金情報の移動先、移動金額および承認の有無と、読取った回金情報の移動先、移動金額および承認の有無とを照合する。
【００３７】
ＳＡ４、回金情報の照合を終えた制御部１１は、その照合結果が一致したときは、現金処理機１への入金を許可し、その許可の旨の文言を表示部１４に表示する。
照合結果が不一致の場合は、制御部１１は現金処理機１への入金の不許可の旨の文言を表示部１４に表示して処理を終了させる。
ＳＡ５、係員は持参した現金を紙幣取扱部１７および／もしくは硬貨取扱部１８に投入し、入金処理の開始操作を行う。
【００３８】
入金処理の開始操作を認識した制御部１１は、紙幣取扱部１７および／もしくは硬貨取扱部１８により、投入された現金を計数しながら回金情報の移動金額を入金する入金処理を開始し、移動金額の現金を各収納庫に金種別に収納して入金処理を終了させる。
このとき、回金情報の移動金額と投入された現金の金額とに過不足がある場合は、その旨の文言を表示部１４に表示して入金処理を終了させる。役席者等はその過不足分に付き調査して適切な処置を行う。
【００３９】
ＳＡ６、入金処理を終えた制御部１１は、その時計機能により認識した入出金日時と、現金処理機１へ現金を入金した旨とを記した現金出入情報、および係員カード８から読取った回金情報を、履歴情報として記憶部１２の履歴情報格納エリア１３に格納する。
以下に、図９に示す流れ図を用い、現金処理機１から現金を出金して現金自動預払機２へ補充する現金補充処理の作動について説明する。
【００４０】
なお、ステップ名は現金処理機１の場合をＳＢで、役席端末４の場合をＳＣで、現金自動預払機２の場合をＳＤで表す。
ＳＢ１、現金自動預払機２へ現金の補充を担当する係員は、係員カード８を現金処理機１のカード読取書込部１６に挿入する。
これを検知した現金処理機１の制御部１１は、業務処理実行プログラムにより、表示部１４に現金処理機１の業務選択画面を表示する。
【００４１】
係員は、表示された業務選択画面から入力部１５により補充処理の選択操作を行う。
ＳＢ２、補充処理の選択操作を認識した制御部１１は、表示部１４に補充指示の入力画面を表示する。
補充指示の入力画面には、出金場所、出金金額、移動先、移動金額等の入力欄が表示される。
【００４２】
係員は、入力部１５により出金場所として現金処理機１、出金金額、移動先として現金自動預払機２、移動金額として全額を入力する。
この場合に、移動先とそこへの移動金額とを一対にして複数（例えば、移動先：現金自動預払機２／移動金額：○○円、移動先：窓口端末３／移動金額：△△円等）入力するようにしてもよい。
【００４３】
ＳＢ３、補充指示の入力を受付けた制御部１１は、その時計機能により認識した移動日時と、受付けた出金場所、出金金額、移動先、移動金額、および承認要の旨の承認情報により回金情報を生成し、これをカード読取書込部１６によりそこに挿入されている係員カード８の記録部９ａの回金情報記録領域１０の各エリアに書込む。
ＳＢ４、係員カード８に回金情報を書込んだ制御部１１は、係員カード８に書込んだ回金情報を、店内ネットワーク７を介して現金自動預払機２（ステップＳＤ１）へ送信してステップＳＢ５へ移行する。
【００４４】
ＳＤ１、一方、現金処理機１からの回金情報を受信した現金自動預払機２の制御部２１は、取引処理実行プログラムにより、受信した回金情報を記憶部２２に保存する。
ＳＢ５、回金情報の送信を終えた制御部１１は、回金情報に書込んだ出金金額の現金の出金処理を行う。
すなわち、制御部１１は、紙幣取扱部１７および／もしくは硬貨取扱部１８により、各収納庫に金種別に収納されている現金を計数しながら繰出してこれらを出金口に集積し、回金情報に書込んだ出金金額の現金を集積したときに出金処理を終了させる。
【００４５】
ＳＢ６、出金処理を終えた制御部１１は、その時計機能により認識した入出金日時と、現金処理機１から現金を出金した旨とを記した現金出入情報、および係員カード８に書込んだ回金情報を、履歴情報として記憶部１２の履歴情報格納エリア１３に格納する。
ＳＣ１、一方、係員は係員カード８と出金された現金を持参して役席端末４へ移動し、役席者に係員カード８および持参した現金を提示する。
【００４６】
係員カード８の提示を受けた役席者は、その係員カード８を、役席端末４のカード読取書込部４５に挿入する。
これを検知した役席端末４の制御部４１は、カード読取書込部４５により挿入された係員カード８の記録部９ａの回金情報記録領域１０から回金情報を読取ると共に、表示部４３に読取った内容および現金の補充に対する承認情報の入力欄を表示する。
【００４７】
ＳＣ２、役席者は、表示された出金金額により係員が持参した現金の金額を確認し、承認情報の入力欄に電子署名等により承認済みの旨の入力を行う。
この承認の入力を受付けた制御部４１は、カード読取書込部４５によりそこに挿入されている係員カード８の係員カード８の記録部９ａの回金情報記録領域１０の承認情報エリアに承認済みの旨を書込んで更新する。
【００４８】
役席者は、カード読取書込部４５から係員カード８を排出させ、これと現金とを係員に手渡す。
ＳＣ３、係員カード８の回金情報に承認済みの旨を書込んだ制御部４１は、承認済みの旨を書込んだ回金情報を、店内ネットワーク７を介して現金処理機１（ステップＳＢ７）送信してステップＳＣ１へ戻って待機する。
【００４９】
ＳＢ７、役席端末４からの承認済みの旨を書込んだ回金情報を受信した制御部１１は、受信した承認済みの旨を書込んだ回金情報を、履歴情報として記憶部１２の履歴情報格納エリア１３に格納する。
ＳＤ２、一方、役席者により出金の承認を得た係員は、その係員カード８と現金を持参して現金自動預払機２へ移動し、現金自動預払機２の係員操作部２８のカード読取書込部２９に持参した係員カード８を挿入する。
【００５０】
これを検知した現金自動預払機２の制御部２１は、カード読取書込部２９により挿入された係員カード８の記録部９ａの回金情報記録領域１０から承認済みの旨を書込んだ回金情報を読取ると共に、係員操作部２８の表示画面に係員の業務選択画面を表示する。
係員は、表示された業務選択画面の位置信号検出手段により補充処理の選択ボタンを押下する。
【００５１】
ＳＤ３、補充処理の選択ボタンを押下を認識した制御部２１は、係員カード８から読取った回金情報の移動日時を基に、記憶部２２に保存した回金情報を検索して当該回金情報を抽出し、抽出した当該回金情報の移動先、移動金額および承認の要否と、読取った回金情報の移動先、移動金額および承認の有無とを照合する。
ＳＤ４、回金情報の照合を終えた制御部２１は、その照合結果が一致（本ステップでは当該回金情報に承認要の旨が記載され、読取った回金情報には承認済みの旨が記載されているので、承認情報に関しては一致したものと見做される。）したときは、現金自動預払機２への補充ための入金を許可し、その許可の旨の文言を係員操作部２８の表示画面に表示する。
【００５２】
照合結果が不一致の場合は、制御部２１は現金自動預払機２への補充ための入金の不許可の旨の文言を係員操作部２８の表示画面に表示して処理を終了させる。
ＳＤ５、係員は持参した現金を紙幣入出金部２６および／もしくは硬貨入出金部２７に投入し、係員操作部２８により補充のための入金処理の開始操作を行う。
入金処理の開始操作を認識した制御部２１は、紙幣入出金部２６および／もしくは硬貨入出金部２７により、投入された現金を計数しながら回金情報の移動金額の入金処理を開始し、移動金額の現金を各収納庫に金種別に収納して入金処理を終了させる。
【００５３】
このとき、回金情報の移動金額と投入された現金の金額とに過不足がある場合は、その旨の文言を係員操作部２８の表示画面に表示して入金処理を終了させる。役席者等はその過不足分に付き調査して適切な処置を行う。
ＳＤ６、入金処理を終えた制御部２１は、その時計機能により認識した入出金日時と、現金自動預払機２へ現金を補充した旨とを記した現金出入情報、および係員カード８から読取った回金情報を、店内ネットワーク７を介して現金処理機１（ステップＳＢ８）へ送信する。
【００５４】
ＳＢ８、現金自動預払機２からの回金情報および現金出入情報を受信した現金処理機１の制御部１１は、受信した回金情報および現金出入情報を、履歴情報として記憶部１２の履歴情報格納エリア１３に格納する。
上記の現金補充処理は、現金自動預払機２への補充を例に説明したが、窓口端末３への補充の場合も同様である。
【００５５】
以下に、図１０に示す流れ図を用い、窓口端末３で余剰となった現金を回収して現金処理機１へ入金する現金回収処理の作動について説明する。
なお、ステップ名は窓口端末３の場合をＳＥで、現金処理機１の場合をＳＦで表す。
ＳＥ１、窓口端末３からの現金の回収を担当する係員は、係員カード８を窓口端末３のカード読取書込部３８に挿入する。
【００５６】
これを検知した窓口端末３の制御部３１は、窓口端末処理実行プログラムにより、表示部３３に窓口端末３の業務選択画面を表示する。
係員は、表示された業務選択画面から入力部３４により回収処理の選択操作を行う。
ＳＥ２、回収処理の選択操作を認識した制御部３１は、表示部３３に回収指示の入力画面を表示する。
【００５７】
回収指示の入力画面には、出金場所、出金金額、移動先、移動金額等の入力欄が表示される。
係員は、入力部３４により出金場所として窓口端末３、出金金額、移動先として現金処理機１、移動金額として全額を入力する。
ＳＥ３、回収指示の入力を受付けた制御部３１は、その時計機能により認識した移動日時と、受付けた出金場所、出金金額、移動先、移動金額、および承認不要の旨の承認情報により回金情報を生成し、これをカード読取書込部３８によりそこに挿入されている係員カード８の記録部９ａの回金情報記録領域１０の各エリアに書込む。
【００５８】
ＳＥ４、係員カード８に回金情報を書込んだ制御部３１は、回金情報に書込んだ出金金額の現金の回収ための出金処理を行う。
すなわち、制御部３１は、紙幣入出金部３６および／もしくは硬貨入出金部３７により、各収納庫に金種別に収納されている現金を計数しながら繰出してこれらを出金口に集積し、回金情報に書込んだ出金金額の現金を集積したときに出金処理を終了させる。
【００５９】
ＳＥ５、出金処理を終えた制御部３１は、その時計機能により認識した入出金日時と、窓口端末３から現金を回収した旨とを記した現金出入情報、および係員カード８に書込んだのと同じ回金情報、つまり承認不要の旨を書込んだ回金情報を、店内ネットワーク７を介して現金処理機１（ステップＳＦ１）送信し、ステップＳ１へ戻って待機する。
ＳＦ１、窓口端末３からの回金情報および現金出入情報を受信した現金処理機１の制御部１１は、業務処理実行プログラムにより、受信した回金情報および現金出入情報を、履歴情報として記憶部１２の履歴情報格納エリア１３に格納する。
【００６０】
ＳＦ２、一方、係員は係員カード８と回収した現金を持参して現金処理機１へ移動し、現金処理機１のカード読取書込部１６に持参した係員カード８を挿入する。
これを検知した現金処理機１の制御部１１は、カード読取書込部１６により挿入された係員カード８の記録部９ａの回金情報記録領域１０から回金情報を読取ると共に、表示部１４に現金処理機１の業務選択画面を表示する。
【００６１】
係員は、表示された業務選択画面から入力部１５により入金処理の選択操作を行う。
ＳＦ３、入金処理の選択操作を認識した制御部１１は、係員カード８から読取った回金情報の移動日時を基に、記憶部１２の履歴情報格納エリア１３を検索して当該回金情報を抽出し、抽出した当該回金情報の移動先、移動金額および承認の要否と、読取った回金情報の移動先、移動金額および承認の要否とを照合する。
【００６２】
ＳＦ４、回金情報の照合を終えた制御部１１は、その照合結果が一致したときは、現金処理機１への入金を許可し、その許可の旨の文言を表示部１４に表示する。
照合結果が不一致の場合は、制御部１１は現金処理機１への入金の不許可の旨の文言を表示部１４に表示して処理を終了させる。
ＳＦ５、係員は持参した現金を紙幣取扱部１７および／もしくは硬貨取扱部１８に投入し、入金処理の開始操作を行う。
【００６３】
入金処理の開始操作を認識した制御部１１は、上記ステップＳＡ５と同様にして入金処理を行い、移動金額の現金を各収納庫に収納して入金処理を終了させる。
このとき、回金情報の移動金額と投入された現金の金額とに過不足がある場合は、その旨の文言を表示部１４に表示して入金処理を終了させる。役席者等はその過不足分に付き調査して適切な処置を行う。
【００６４】
ＳＦ６、入金処理を終えた制御部１１は、その時計機能により認識した入出金日時と、現金処理機１へ現金を入金した旨とを記した現金出入情報、および係員カード８から読取った回金情報を、履歴情報として記憶部１２の履歴情報格納エリア１３に格納する。
上記の現金回収処理は、窓口端末３からの回収を例に説明したが、現金自動預払機２からの回収の場合も同様である。
【００６５】
以下に、図１１に示す流れ図を用い、現金処理機１から現金を出金して金庫６へ入庫する現金入庫処理の作動について説明する。
なお、ステップ名は現金処理機１の場合をＳＨで、金庫席端末５の場合をＳＫで表す。
ＳＨ１、金庫６へ現金の入庫を担当する係員は、係員カード８を現金処理機１のカード読取書込部１６に挿入する。
【００６６】
これを検知した現金処理機１の制御部１１は、業務処理実行プログラムにより、表示部１４に現金処理機１の業務選択画面を表示する。
係員は、表示された業務選択画面から入力部１５により入庫処理の選択操作を行う。
ＳＨ２、入庫処理の選択操作を認識した制御部１１は、表示部１４に入庫指示の入力画面を表示する。
【００６７】
入庫指示の入力画面には、出金場所、出金金額、移動先、移動金額等の入力欄が表示される。
係員は、入力部１５により出金場所として現金処理機１、出金金額、移動先として金庫６、移動金額として全額を入力する。
ＳＨ３、入庫指示の入力を受付けた制御部１１は、その時計機能により認識した移動日時と、受付けた出金場所、出金金額、移動先、移動金額、および承認不要の旨の承認情報により回金情報を生成し、これをカード読取書込部１６によりそこに挿入されている係員カード８の記録部９ａの回金情報記録領域１０の各エリアに書込む。
【００６８】
ＳＨ４、係員カード８に回金情報を書込んだ制御部１１は、係員カード８に書込んだ回金情報を、店内ネットワーク７を介して金庫席端末５（ステップＳＫ１）へ送信してステップＳＨ５へ移行する。
ＳＫ１、一方、現金処理機１からの回金情報を受信した金庫席端末５の制御部５１は、金庫席端末業務実行プログラムにより、受信した回金情報を記憶部５２に保存する。
【００６９】
ＳＨ５、回金情報の送信を終えた制御部１１は、回金情報に書込んだ出金金額の現金の出金処理を行う。
すなわち、制御部１１は、上記ステップＳＢ５と同様にして出金処理を行い、回金情報に書込んだ出金金額の現金を集積したときに出金処理を終了させる。
ＳＨ６、出金処理を終えた制御部１１は、その時計機能により認識した入出金日時と、現金処理機１から現金を出金した旨とを記した現金出入情報、および係員カード８に書込んだ回金情報を、履歴情報として記憶部１２の履歴情報格納エリア１３に格納する。
【００７０】
ＳＫ２、一方、係員は、係員カード８と出金した現金を持参して金庫６の近傍の金庫席端末５へ移動し、金庫席端末５のカード読取書込部５５に持参した係員カード８を挿入する。
これを検知した金庫席端末５の制御部５１は、カード読取書込部５５により挿入された係員カード８の記録部９ａの回金情報記録領域１０から回金情報を読取る。
【００７１】
ＳＫ３、係員カード８の回金情報を読取った制御部５１は、係員カード８から読取った回金情報の移動日時を基に、記憶部５２に保存した回金情報を検索して当該回金情報を抽出し、抽出した当該回金情報の移動先、移動金額および承認の要否と、読取った回金情報の移動先、移動金額および承認の要否とを照合する。
ＳＫ４、回金情報の照合を終えた制御部５１は、その照合結果が一致したときは、金庫６への入庫を許可し、その許可の旨の文言を表示部５３に表示する。
【００７２】
このとき、回金情報の移動金額を表示部５３に表示して入庫する現金の金額を役席者が確認するようにようにしてもよい。そして過不足がある場合は、役席者等はその過不足分に付き調査して適切な処置を行う。
照合結果が不一致の場合は、制御部５１は金庫６への入庫の不許可の旨の文言を表示部５３に表示して処理を終了させる。
【００７３】
ＳＫ５、係員は持参した移動金額の現金を金庫６へ入庫し、金庫席端末５の入力部５４により入庫処理の完了操作を行う。
ＳＫ６、入庫処理の完了操作を認識した制御部５１は、その時計機能により認識した入出金日時と、金庫６へ現金を入庫した旨とを記した現金出入情報、および係員カード８から読取った回金情報を、店内ネットワーク７を介して現金処理機１（ステップＳＨ７）へ送信する。
【００７４】
ＳＨ７、金庫席端末５からの回金情報および現金出入情報を受信した現金処理機１の制御部１１は、受信した回金情報および現金出入情報を、履歴情報として記憶部１２の履歴情報格納エリア１３に格納する。
上記のように、本実施例の現金管理システムにおいては、業務開始時等における金庫６からの現金の出庫から業務終了時等における金庫６への現金の入庫までの間の現金の移動の度に現金処理機１等の現金を取扱う機器における現金出入情報と、現金と共に移動する係員カード８に書込まれた回金情報とを現金処理機１に履歴情報として格納して、現金の移動の履歴を一元管理するので、現金の精査時に不整合が発生したとしても、その調査を容易に行うことが可能になり、精査時における作業時間を短縮することができると共に、回金情報に記された金額と、実際の現金の額との一致性を保つことができる。
【００７５】
また、出庫指示や補充指示、回収指示等の指示入力が行われる金庫席端末５や現金処理機１、現金自動預払機２等の現金の出金元の機器から、その指示入力の内容を回金情報として予め現金処理機１や窓口端末３等の現金の移動先の機器に送信し、同じ回金情報を現金と共に移動する係員カード８に書込み、移動先の機器において予め受信した回金情報と係員カード８に記された回金情報とを照合して移動先の機器における入出金の許可を与えるので、現金の移動時における係員の過誤による人為的なミスの発生を未然に防止することができると共に、係員カード８の記された回金情報が改ざんされたとしても、照合時の不一致により移動先の機器における入出金が不可能になり、回金情報の改ざんを困難にしてその発生を防止することができる。
【００７６】
以上説明したように、本実施例では、現金処理機と自動取引装置としての現金自動預払機、窓口端末、および承認端末としての役席端末、金庫席端末とを店内ネットワークを介して接続し、現金の移動の度に送信される現金出入情報および／もしくは係員カードの回金情報を現金処理機に履歴情報として格納するようにしたことによって、現金の移動時における過誤による人為的なミスや改ざんを困難にしてその発生を防止することができると共に、現金処理機により現金出入情報と回金情報とからなる履歴情報を一元管理することが可能になり、現金の精査時に現金の移動履歴を容易に調査することができ、精査時の作業時間を短縮して業務効率を向上させることができる。
【実施例２】
【００７７】
図１２は実施例２の現金管理システムを示すブロック図、図１３は実施例２の係員カードを示す説明図、図１４は実施例２の両替機を示すブロック図である。
なお、上記実施例１と同様の部分は同一の符号を付して、その説明を省略する。
図１２において、６０は自動取引装置としての両替機であり、顧客との間で現金の両替取引を自動で行う。
【００７８】
本実施例の両替機６０は、店内ネットワーク７に接続しない状態で営業店に設置されている。
本実施例の係員カード８のＩＣチップ９の記録部９ａの回金情報記録領域１０には、図１３に示すように、上記実施例１と同様の移動日時、出金場所、出金金額、移動先、移動金額、および承認情報の格納エリアに加えて、店内ネットワーク７に接続してない機器（本実施例では両替機６０）における現金の出入に関する情報を格納する端末情報の格納エリアが設定されている。
【００７９】
図１４において、６１は両替機６０の制御部であり、両替機６０内の各部を制御して顧客との両替処理等を実行する。
６２は両替機６０の記憶部であり、制御部６１が実行するプログラムやそれに用いる各種のデータおよび制御部６１による処理結果等が格納される。
６３は顧客操作部であり、両替機６０の前面側に設けられ、上記実施例１の現金自動預払機２の顧客操作部６３と同様の機能を有している。
【００８０】
６４はカード取扱部であり、上記実施例１の現金自動預払機２のカード取扱部２４と同様の機能を有している。
６５は紙幣入出金部であり、上記実施例１の現金自動預払機２の紙幣入出金部２６と同様の機能を有している。
６６は硬貨入出金部であり、上記実施例１の現金自動預払機２の硬貨入出金部２７と同様の機能を有している。
【００８１】
６７は係員操作部であり、両替機６０の背面側に設けられ、上記実施例１の現金自動預払機２の係員操作部２８と同様の機能を有している。
６８は係員操作部６７に設けられたカード読取書込部であり、上記現金処理機１のカード読取書込部１６と同様の機能を有している。
本実施例の両替機６０の記憶部６２には、予め通常の顧客との間での両替取引や現金の補充や回収を行うための両替処理実行プログラムに、係員カード８の回金情報を読取り、これを検査して両替機６０に対する入出金の許可を与える機能を有するアプリケーションプログラム等が追加された両替処理実行プログラムが格納されており、制御部６１が実行する両替処理実行プログラムのステップにより本実施例の両替機６０のハードウェアとしての各機能手段が形成される。
【００８２】
なお、本実施例における金庫６に対する現金出庫処理や現金入庫処理、および現金自動預払機２や窓口端末３に対する現金補充処理や現金回収処理の作動は、上記実施例１と同様であるので、その説明を省略する。
以下に、図１６に示す流れ図を用い、現金処理機１から現金を出金して両替機６０へ補充する現金補充処理の作動について説明する。
【００８３】
なお、ステップ名は現金処理機１の場合をＳＬで、役席端末４の場合をＳＭで、両替機６０の場合をＳＮで表す。
ＳＬ１、両替機６０へ現金の補充を担当する係員は、係員カード８を現金処理機１のカード読取書込部１６に挿入する。
これを検知した現金処理機１の制御部１１は、業務処理実行プログラムにより、表示部１４に現金処理機１の業務選択画面を表示する。
【００８４】
係員は、表示された業務選択画面から入力部１５により補充処理の選択操作を行う。
ＳＬ２、補充処理の選択操作を認識した制御部１１は、表示部１４に補充指示の入力画面を表示する。
補充指示の入力画面には、出金場所、出金金額、移動先、移動金額等の入力欄が表示される。
【００８５】
係員は、入力部１５により出金場所として現金処理機１、出金金額、移動先として両替機６０、移動金額として全額を入力する。
ＳＬ３、補充指示の入力を受付けた制御部１１は、その時計機能により認識した移動日時と、受付けた出金場所、出金金額、移動先、移動金額、および承認要の旨の承認情報により回金情報を生成し、これをカード読取書込部１６によりそこに挿入されている係員カード８の記録部９ａの回金情報記録領域１０の各エリアに書込む。
【００８６】
ＳＬ４、回金情報の送信を終えた制御部１１は、回金情報に書込んだ出金金額の現金の出金処理を行う。
すなわち、制御部１１は、上記実施例１のステップＳＢ５と同様にして出金処理を行い、回金情報に書込んだ出金金額の現金を集積したときに出金処理を終了させる。
ＳＬ５、出金処理を終えた制御部１１は、その時計機能により認識した入出金日時と、現金処理機１から現金を出金した旨とを記した現金出入情報、および係員カード８に書込んだ回金情報を、履歴情報として記憶部１２の履歴情報格納エリア１３に格納する。
【００８７】
ＳＭ１、一方、係員は係員カード８と出金された現金を持参して役席端末４へ移動し、役席者に係員カード８および持参した現金を提示する。
係員カード８の提示を受けた役席者は、その係員カード８を、役席端末４のカード読取書込部４５に挿入する。
これを検知した役席端末４の制御部４１は、カード読取書込部４５により挿入された係員カード８の記録部９ａの回金情報記録領域１０から回金情報を読取ると共に、表示部４３に読取った内容および現金の補充に対する承認情報の入力欄を表示する。
【００８８】
ＳＭ２、役席者は、表示された出金金額により係員が持参した現金の金額を確認し、承認情報の入力欄に電子署名等により承認済みの旨の入力を行う。
この承認の入力を受付けた制御部４１は、カード読取書込部４５によりそこに挿入されている係員カード８の係員カード８の記録部９ａの回金情報記録領域１０の承認情報エリアに承認済みの旨を書込んで更新する。
【００８９】
役席者は、カード読取書込部４５から係員カード８を排出させ、これと現金とを係員に手渡す。
ＳＭ３、係員カード８の回金情報に承認済みの旨を書込んだ制御部４１は、承認済みの旨を書込んだ回金情報を、店内ネットワーク７を介して現金処理機１（ステップＳＬ６）送信してステップＳＭ１へ戻って待機する。
【００９０】
ＳＬ６、役席端末４からの承認済みの旨を書込んだ回金情報を受信した制御部１１は、受信した承認済みの旨を書込んだ回金情報を、履歴情報として記憶部１２の履歴情報格納エリア１３に格納する。
ＳＮ１、一方、役席者により出金の承認を得た係員は、その係員カード８と現金を持参して両替機６０へ移動し、両替機６０の係員操作部６７のカード読取書込部６８に持参した係員カード８を挿入する。
【００９１】
これを検知した両替機６０の制御部６１は、両替処理実行プログラムにより、カード読取書込部６８により挿入された係員カード８の記録部９ａの回金情報記録領域１０から承認済みの旨を書込んだ回金情報を読取ると共に、係員操作部６７の表示画面に係員の業務選択画面を表示する。
係員は、表示された業務選択画面の位置信号検出手段により補充処理の選択ボタンを押下する。
【００９２】
ＳＮ２、補充処理の選択ボタンを押下を認識した制御部６１は、係員カード８から読取った回金情報の移動先、移動金額および承認の有無により回金情報を検査する。
ＳＮ３、制御部６１は、読取った回金情報の移動先が自己、つまり両替機６０となっており、承認済みの旨が記載されていることにより、読取った回金情報の検査結果を合格と判定したときは、両替機６０への補充ための入金を許可し、その許可の旨の文言を係員操作部６７の表示画面に表示する。
【００９３】
検査結果が前記以外の内容で不合格の場合は、制御部６１は両替機６０への補充ための入金の不許可の旨の文言を係員操作部６７の表示画面に表示して処理を終了させる。
ＳＮ４、係員は持参した現金を紙幣入出金部６５および／もしくは硬貨入出金部６６に投入し、係員操作部６７により補充のための入金処理の開始操作を行う。
入金処理の開始操作を認識した制御部６１は、紙幣入出金部６５および／もしくは硬貨入出金部６６により、投入された現金を計数しながら回金情報の移動金額の入金処理を開始し、移動金額の現金を各収納庫に金種別に収納して入金処理を終了させる。
【００９４】
このとき、回金情報の移動金額と投入された現金の金額とに過不足がある場合は、その旨の文言を係員操作部６７の表示画面に表示して入金処理を終了させる。役席者等はその過不足分に付き調査して適切な処置を行う。
ＳＮ５、入金処理を終えた制御部６１は、その時計機能により認識した入出金日時と、両替機６０への補充完了の旨とにより端末情報を生成し、これをカード読取書込部６８によりそこに挿入されている係員カード８の記録部９ａの回金情報記録領域１０の端末情報エリアに書込み、カード読取書込部６８から係員カード８を排出する。
【００９５】
ＳＬ７、係員は両替機６０から排出された係員カード８を持参して現金処理機１へ移動し、係員カード８を現金処理機１のカード読取書込部１６に挿入する。
これを検知した現金処理機１の制御部１１は、表示部１４に現金処理機１の業務選択画面を表示する。
係員は、表示された業務選択画面から入力部１５により回金報告処理の選択操作を行う。
【００９６】
ＳＬ８、回金報告処理の選択操作を認識した制御部１１は、カード読取書込部１６に挿入された係員カード８の記録部９ａの回金情報記録領域１０から端末情報が書込まれた回金情報を読取ると共に、その時計機能により認識した入出金日時と、両替機６０への補充承認の旨とにより端末情報を生成し、これをカード読取書込部１６により係員カード８の回金情報記録領域１０の端末情報エリアに書込む。
【００９７】
そして、制御部１１は、前記の端末情報が書込まれた回金情報を、履歴情報として記憶部１２の履歴情報格納エリア１３に格納する。
以下に、図１６に示す流れ図を用い、両替機６０で余剰となった現金を回収して現金処理機１へ入金する現金回収処理の作動について説明する。
なお、ステップ名は両替機６０の場合をＳＰで、現金処理機１の場合をＳＱで表す。
【００９８】
ＳＰ１、両替機６０からの現金の回収を担当する係員は、係員カード８を両替機６０の係員操作部６７のカード読取書込部６８に挿入する。
これを検知した両替機６０の制御部６１は、両替処理実行プログラムにより、係員操作部６７の表示画面に両替機６０の業務選択画面を表示する。
係員は、表示された業務選択画面の位置信号検出手段により回収処理の選択ボタンを押下する。
【００９９】
ＳＰ２、回収処理の選択ボタンの押下を認識した制御部６１は、係員操作部６７の表示画面に回収指示の入力画面を表示する。
回収指示の入力画面には、出金場所、出金金額、移動先、移動金額等の入力欄およびその入力のためのテンキーや移動先等の機器を入力するための機器入力キー等が表示される。
【０１００】
係員は、位置信号検出手段により出金場所として両替機６０、出金金額、移動先として現金処理機１、移動金額として全額を入力する。
ＳＰ３、回収指示の入力を受付けた制御部６１は、その時計機能により認識した移動日時と、受付けた出金場所、出金金額、移動先、移動金額、および承認不要の旨の承認情報、並びに移動日時を入出金日時とし、両替機６０からの回収完了の旨の端末情報により回金情報を生成し、これをカード読取書込部６８によりそこに挿入されている係員カード８の記録部９ａの回金情報記録領域１０の各エリアに書込む。
【０１０１】
ＳＰ４、係員カード８に回金情報を書込んだ制御部６１は、回金情報に書込んだ出金金額の現金の回収ための出金処理を行う。
すなわち、制御部６１は、紙幣入出金部６５および／もしくは硬貨入出金部６６により、各収納庫に金種別に収納されている現金を計数しながら繰出してこれらを出金口に集積し、回金情報に書込んだ出金金額の現金を集積したときに出金処理を終了させる。
【０１０２】
ＳＱ１、係員は、係員カード８と回収した現金を持参して現金処理機１へ移動し、現金処理機１のカード読取書込部１６に持参した係員カード８を挿入する。
これを検知した現金処理機１の制御部１１は、業務処理実行プログラムにより、カード読取書込部１６により挿入された係員カード８の記録部９ａの回金情報記録領域１０から端末情報を書込んだ回金情報を読取ると共に、表示部１４に現金処理機１の業務選択画面を表示する。
【０１０３】
係員は、表示された業務選択画面から入力部１５により入金処理の選択操作を行う。
ＳＱ２、入金処理の選択操作を認識した制御部１１は、係員カード８から読取った回金情報の移動先、移動金額および承認の有無、端末情報により回金情報を検査する。
ＳＱ３、制御部６１は、読取った回金情報の移動先が自己、つまり現金処理機１となっており、端末情報に回収完了の旨が記載されていることにより、読取った回金情報の検査結果を合格と判定したときは、現金処理機１への入金を許可し、その許可の旨の文言を表示部１４に表示する。
【０１０４】
検査結果が前記以外の内容で不合格の場合は、制御部１１は現金処理機１への入金の不許可の旨の文言を表示部１４に表示して処理を終了させる。
ＳＱ４、係員は持参した現金を紙幣取扱部１７および／もしくは硬貨取扱部１８に投入し、入金処理の開始操作を行う。
入金処理の開始操作を認識した制御部１１は、上記実施例１のステップＳＡ５と同様にして入金処理を行い、移動金額の現金を各収納庫に収納して入金処理を終了させる。
【０１０５】
このとき、回金情報の移動金額と投入された現金の金額とに過不足がある場合は、その旨の文言を表示部１４に表示して入金処理を終了させる。役席者等はその過不足分に付き調査して適切な処置を行う。
ＳＱ５、入金処理を終えた制御部１１は、その時計機能により認識した入出金日時と、両替機６０からの回収承認の旨とを記した端末情報を生成し、これをカード読取書込部１６により係員カード８の回金情報記録領域１０の端末情報エリアに書込むと共に、前記の端末情報が書込まれた回金情報を、履歴情報として記憶部１２の履歴情報格納エリア１３に格納する。
【０１０６】
なお、本実施例では、現金補充処理および現金回収処理は両替機６０に対する補充および回収を例に説明したが、店内ネットワーク７に接続されていない現金自動預払機２や窓口端末３の場合も同様である。
また、本実施例の両替機６０は店内ネットワーク７に接続されていないとして説明したが、両替機６０を店内ネットワーク７に接続して上記実施例１の現金自動預払機２や窓口端末３と同様に作動させることも可能である。
【０１０７】
上記のように、本実施例の現金管理システムにおいては、店内ネットワーク７に接続されていない両替機６０等の現金を取扱う機器に対する現金の移動の度に、現金と共に移動する係員カード８にその機器における現金の出入に関する端末情報を書込んだ回金情報を記録し、これを現金処理機１に読取らせて履歴情報として格納し、現金の移動の履歴を一元管理するので、現金の精査時に不整合が発生したとしても、その調査を容易に行うことが可能になり、精査時における作業時間を短縮することができる他、回金情報の移動先および移動金額により回金情報を検査するので、現金の移動時における過誤による人為的なミスを未然に防止することができる。
【０１０８】
以上説明したように、本実施例では、現金処理機と店内ネットワークで接続されていない自動取引装置としての両替機により、係員カードの回金情報に端末情報を書込み、これを現金処理機に読取らせて履歴情報として格納るようにしたことによって、現金処理機により現金の移動の履歴を一元管理することが可能になり、現金の精査時に現金の移動履歴を容易に調査することができ、精査時の作業時間を短縮して業務効率を向上させることができる。
【０１０９】
上記各実施例においては、金庫６に対する現金の出庫および入庫は、役席者や係員により行うとして説明したが、金庫６に機械的な入出金構造を設けて自動化するようにしてもよい。
また、上記各実施例においては、係員カードは接触型のＩＣカードであるとして説明したが、非接触型のＩＣカードであってもよい。
【図面の簡単な説明】
【０１１０】
【図１】実施例１の現金管理システムを示すブロック図
【図２】実施例１の係員カードを示す説明図
【図３】実施例１の現金処理機を示すブロック図
【図４】実施例１の現金自動預払機を示すブロック図
【図５】実施例１の窓口端末を示すブロック図
【図６】実施例１の役席端末を示すブロック図
【図７】実施例１の金庫席端末を示すブロック図
【図８】実施例１の現金出庫処理を示す流れ図
【図９】実施例１の現金補充処理を示す流れ図
【図１０】実施例１の現金回収処理を示す流れ図
【図１１】実施例１の現金入庫処理を示す流れ図
【図１２】実施例２の現金管理システムを示すブロック図
【図１３】実施例２の係員カードを示す説明図
【図１４】実施例２の両替機を示すブロック図
【図１５】実施例２の両替機への現金補充処理を示す流れ図
【図１６】実施例２の両替機からの現金回収処理を示す流れ図
【符号の説明】
【０１１１】
１    現金処理機
２    現金自動預払機
３    窓口端末
４    役席端末
５    金庫席端末
７    店内ネットワーク
８    係員カード
９    ＩＣチップ
９ａ  記録部
１０  回金情報記録領域
１１、２１、３１、４１、５１、６１  制御部
１２、２２、３２、４２、５２、６２  記憶部
１３  履歴情報格納エリア
１４、３３、４３、５３  表示部
１５、３４、４４、５４  入力部
１６、２９、３８、４５、５５、６８  カード読取書込部
１７  紙幣取扱部
１８  硬貨取扱部
２３、６３  顧客操作部
２４、６４  カード取扱部
２５、３５  通帳取扱部
２６、３６、６５  紙幣入出金部
２７、３７、６６  硬貨入出金部
２８、６７  係員操作部
【図１】
2008077339.tif 000003
【図２】
2008077339.tif 000004
【図３】
2008077339.tif 000005
【図４】
2008077339.tif 000006
【図５】
2008077339.tif 000007
【図６】
2008077339.tif 000008
【図７】
2008077339.tif 000009
【図８】
2008077339.tif 000010
【図９】
2008077339.tif 000011
【図１０】
2008077339.tif 000012
【図１１】
2008077339.tif 000013
【図１２】
2008077339.tif 000014
【図１３】
2008077339.tif 000015
【図１４】
2008077339.tif 000016
【図１５】
2008077339.tif 000017
【図１６】
2008077339.tif 000018